【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
燃料電池システム用アノード復熱装置であって、
第１の環状燃料流路であって、前記第１の環状燃料流路の内壁が前記第１の環状燃料流路に囲まれた上部プレナムを形成するように構成される第１の環状燃料流路と、
前記第１の環状燃料流路に連結された環状予備改質器であって、前記第１の環状燃料流路から未改質燃料流を受け、その未改質燃料流を少なくとも部分的に改質して改質燃料流を生成するように構成され、前記第１の環状燃料流路の軸方向内側に位置する環状予備改質器と、
前記第１の環状燃料流路および前記環状予備改質器の少なくとも一部を囲む環状アノード排気流路であって、前記環状アノード排気流路内のアノード排気流が前記第１の環状燃料流路内の未改質燃料流に熱を供給するように、前記第１の環状燃料流路に熱的に連結される環状アノード排気流路と、を備え、
前記環状予備改質器を前記環状アノード排気流路から分離するアノード復熱装置。
【請求項２】
請求項１記載のアノード復熱装置において、
前記環状予備改質器に連結され、改質燃料流を前記環状予備改質器から受けるように構成される第２の環状燃料流路をさらに備え、
前記第２の環状燃料流路の内壁が、前記第２の環状燃料流路に囲まれた下部プレナムを形成し、
前記環状アノード排気流路が、前記第２の環状燃料流路の少なくとも一部を囲み、かつ前記環状アノード排気流路内のアノード排気流が前記第２の環状燃料流路内の改質燃料流に熱を供給するように、前記第２の環状燃料流路に熱的に連結され、
前記第１の環状燃料流路または前記第２の環状燃料流路によって、前記環状予備改質器を前記環状アノード排気流路から分離し、
前記環状予備改質器が第１の環状予備改質流路および第２の環状予備改質流路を備え、前記第１の環状予備改質流路が前記第２の環状予備改質流路を取り囲み、
前記第１の環状予備改質流路が未改質燃料流を前記第１の環状燃料流路から受けるように構成され、前記第２の環状予備改質流路が改質燃料流を前記第２の環状燃料流路に供給するように構成されるアノード復熱装置。
【請求項３】
請求項２記載のアノード復熱装置において、
予備改質器触媒が、前記第１の環状予備改質流路と前記第２の環状予備改質流路の両方に置かれ、
前記第２の環状予備改質流路の内壁が、前記第２の環状予備改質流路に囲まれた中空プレナムを形成し、
前記予備改質器触媒は、前記中空プレナム中にないアノード復熱装置。
【請求項４】
請求項２記載のアノード復熱装置において、
予備改質器触媒が、前記第２の環状予備改質流路内にのみ置かれ、前記第１の環状予備改質流路内にないアノード復熱装置。
【請求項５】
請求項１記載のアノード復熱装置において、
前記環状予備改質器に連結され、改質燃料流を前記環状予備改質器から受けるように構成される第２の環状燃料流路をさらに備え、
前記第２の環状燃料流路の内壁が、前記第２の環状燃料流路に囲まれた下部プレナムを形成し、
前記環状アノード排気流路が、前記第２の環状燃料流路の少なくとも一部を囲み、かつ前記環状アノード排気流路内のアノード排気流が前記第２の環状燃料流路内の改質燃料流に熱を供給するように、前記第２の環状燃料流路に熱的に連結され、
前記第１の環状燃料流路または前記第２の環状燃料流路によって、前記環状予備改質器を前記環状アノード排気流路から分離し、
前記環状予備改質器が第１の環状予備改質流路および第２の環状予備改質流路を備え、前記第１の環状予備改質流路が前記第２の環状予備改質流路を取り囲み、
前記第２の環状予備改質流路が未改質燃料流を前記第１の環状燃料流路から受けるように構成され、前記第１の環状予備改質流路が改質燃料流を前記第２の環状燃料流路に供給するように構成されるアノード復熱装置。
【請求項６】
請求項５記載のアノード復熱装置において、
予備改質器触媒が、前記第１の環状予備改質流路と前記第２の環状予備改質流路の両方に置かれ、
前記第２の環状予備改質流路の内壁が、前記第２の環状予備改質流路に囲まれた中空プレナムを形成し、
前記予備改質器触媒は、前記中空プレナム中にないアノード復熱装置。
【請求項７】
請求項５記載のアノード復熱装置において、
予備改質器触媒が、前記第２の環状予備改質流路内にのみ置かれ、前記第１の環状予備改質流路内にないアノード復熱装置。
【請求項８】
請求項１記載のアノード復熱装置において、
前記環状予備改質器が第１の環状予備改質流路および第２の環状予備改質流路を備え、前記第１の環状予備改質流路が前記第２の環状予備改質流路を取り囲み、
前記第１の環状予備改質流路が未改質燃料流を前記第１の環状燃料流路から受けるように構成され、前記第２の環状予備改質流路が改質燃料流をアノード供給多岐管に供給するように構成され、
予備改質器触媒が、前記第２の環状予備改質流路内にのみ置かれ、前記第１の環状予備改質流路内になく、
前記アノード供給多岐管が内部円筒空間および同じ面内で同心円状に並んだ外側環部を備え、前記内部円筒空間が改質燃料流を前記第２の環状予備改質流路から受けるように構成され、前記外側環部がアノード排気流を前記環状アノード排気流路に供給するように構成され、
前記環状アノード排気流路が、環状波形フィン付き壁であるアノード復熱装置。
【請求項９】
燃料電池システムのアノード復熱装置を運転する方法であって、
未改質燃料流を７５０℃以下の温度で予備改質して、未改質燃料流内の高級炭化水素を未改質燃料流内のメタンよりも選択的に改質して、改質燃料流を生成するステップを含む方法。
【請求項１０】
請求項９記載の方法において、
未改質燃料流を第１の環状燃料流路から環状予備改質器に供給するステップと、
未改質燃料流を前記環状予備改質器内で少なくとも部分的に改質して、改質燃料流を生成するステップと、
前記第１の環状燃料流路および前記環状予備改質器の少なくとも一部を囲む環状アノード排気流路内にアノード排気流を供給して、前記第１の環状燃料流路内の未改質燃料流に熱を供給するステップと、をさらに含み、
前記第１の環状燃料流路の内壁が、前記第１の環状燃料流路に囲まれた上部プレナムを形成し、
前記環状予備改質器は、前記第１の環状燃料流路に連結される方法。
【請求項１１】
請求項１０記載の方法において、
改質燃料流を前記環状予備改質器に連結された第２の環状燃料流路に供給するステップと、
前記第２の環状燃料流路の少なくとも一部を囲む環状アノード排気流路内にアノード排気流を供給して、前記第２の環状燃料流路内の改質燃料流に熱を供給するステップと、をさらに含み、
前記第２の環状燃料流路の内壁が、前記第２の環状燃料流路に囲まれた下部プレナムを形成する方法。
【請求項１２】
請求項１１記載の方法において、
前記環状予備改質器の内壁が、前記環状予備改質器に囲まれた予備改質器プレナムを形成し、
前記上部プレナム、前記予備改質器プレナムおよび前記下部プレナムが流体連通し、
前記環状予備改質器が、フィン付き予備改質器である方法。
【請求項１３】
請求項１１記載の方法において、
前記環状予備改質器が、前記第１の環状燃料流路の軸方向内側に位置し、かつ前記第１の環状燃料流路または前記第２の環状燃料流路によって、前記環状アノード排気流路から分離される方法。
【請求項１４】
請求項１３記載の方法において、
前記環状予備改質器が第１の環状予備改質流路および第２の環状予備改質流路を備え、前記第１の環状予備改質流路が前記第２の環状予備改質流路を取り囲み、
前記方法が、
前記第１の環状燃料流路からの未改質燃料流を前記第１の環状予備改質流路において受けるステップと、
改質燃料流を前記第２の環状予備改質流路から前記第２の環状燃料流路に供給するステップと、をさらにを含む方法。
【請求項１５】
請求項１４記載の方法において、
予備改質器触媒が、前記第１の環状予備改質流路と前記第２の環状予備改質流路の両方に置かれ、
前記第２の環状予備改質流路の内壁が、前記第２の環状予備改質流路に囲まれた中空プレナムを形成し、
前記予備改質器触媒は、前記中空プレナム中にない方法。